(57)【要約】【課題】水中や水上にいる人にも無線通信によって受信した信号を音波に換えて確実に伝達可能で、かつ、防水性と小型化を達成できる音波伝達装置を提供する。【解決手段】この防水型スピーカは、アンテナ４からの無線信号を受信する受信器３Ａと、受信器３Ａからの受信信号をデコードする信号混合器３Ｂと信号混合器３Ｂからの信号を増幅するパワーアンプ３Ｃと、パワーアンプ３Ｃからの増幅信号で駆動される信号駆動コイル１３と信号駆動コイル１３が発生する磁界に応じて振動部材１４と共に矢印Ｘで示される左右方向に振動される磁石１７とを備える。受信器３Ａ,信号混合器３Ｂ,パワーアンプ３Ｃ,信号駆動コイル１３,振動部材１４は、ケース１内に液密に収容されていると共に振動部材１４の振動による音波振動は、結合部２０,駆動伝達部２１でケース１の一部分からなる振動板２６へ伝達される。【選択図】図１
2010287999.tif 000002
【特許請求の範囲】
【請求項１】
無線信号を受信して上記無線信号に基づく電気信号を出力する受信部と、
上記受信部から上記電気信号が入力され、この電気信号に応じて振動する振動部と、
上記受信部と振動部を水密に収容するケースと、
上記ケース内に水密に収容されていると共に上記ケースの一部に直接接しており、上記振動部の振動を上記ケースの一部に直接伝達して上記ケースの一部を音波を伝達する振動板として振動させる振動伝達部と
を備えることを特徴とする音波伝達装置。
【請求項２】
請求項１に記載の音波伝達装置において、
上記振動部と振動伝達部とケースが骨伝導スピーカを構成していることを特徴とする音波伝達装置。
【請求項３】
請求項１または２に記載の音波伝達装置において、
上記振動部は、
上記ケースに固定された磁石と、
上記受信部からの電気信号が入力されることで上記磁石に対して振動するボイスコイルと、
上記ケース内で上記磁石とボイスコイルとを防水シールするシール部材とを有することを特徴とする音波伝達装置。
【発明の詳細な説明】
【技術分野】
【０００１】
この発明は、無線通信によって受信した信号を振動板の音響振動に変えて音波を伝達する音波伝達装置に関する。
【背景技術】
【０００２】
従来、受信器を備え、この受信器で受信した無線信号をスピーカの振動に変えて音波を伝達する音波伝達装置がある(特開２００１−２８７９１号公報；特許文献１参照)。
【０００３】
ところが、この音波伝達装置をプールサイド等に配置してプール内の人にスピーカから音声や音楽等の音を伝えようとする場合、プール内の人が泳いでいると、水しぶきなどの雑音の影響でスピーカからの音が聞き取りにくくなる。すなわち、水中や水面(水上)での音の反射による影響が大きく、特に低い周波数領域での雑音の影響が大きい。一方、スピーカの音量を上げると、大音量が耳障りとなり不快感を招く。
【０００４】
このため、上記従来の音波伝達装置では、水泳の訓練等の用途では利用が困難になっていた。
【先行技術文献】
【特許文献】
【０００５】
【特許文献１】特開２００１−２８７９１号公報
【発明の概要】
【発明が解決しようとする課題】
【０００６】
そこで、この発明の課題は、水中や水上にいる人にも無線通信によって受信した信号を音波に換えて確実に伝達可能である音波伝達装置を提供することにある。
【課題を解決するための手段】
【０００７】
上記課題を解決するため、この発明の音波伝達装置は、無線信号を受信して上記無線信号に基づく電気信号を出力する受信部と、
上記受信部から上記電気信号が入力され、この電気信号に応じて振動する振動部と、
上記受信部と振動部を水密に収容するケースと、
上記ケース内に水密に収容されていると共に上記ケースの一部に直接接しており、上記振動部の振動を上記ケースの一部に直接伝達して上記ケースの一部を音波を伝達する振動板として振動させる振動伝達部とを備えることを特徴としている。
【０００８】
この発明の音波伝達装置によれば、上記受信部とこの受信部からの電気信号に応じて振動する振動部とこの振動部の振動を上記ケースの一部に伝達する振動伝達部とを上記ケース内に液密に収容すると共に、上記ケースの一部を振動板としている。よって、防水性と小型化を達成できて、水中や水上にいる人に装着可能となる。
【０００９】
そして、上記ケースの一部が振動板として振動することで、音響帯域の中高域に対して共振作用を利用して音質的にも違和感なく忠実に音を再現でき、音響帯域の低中域周波数に対してはケース内部の空洞共振(空洞共鳴)により、ケースそのものが振動する。よって、この発明によれば、無線通信によって受信した信号を音波に換えて水中や水上にいる人にも確実に伝達できる。
【００１０】
また、一実施形態の音波伝達装置では、上記振動部と振動伝達部とケースが骨伝導スピーカを構成している。
【００１１】
この実施形態の音波伝達装置によれば、上記振動部と振動伝達部とケースが骨伝導スピーカを構成しているので、空気伝導によらず上記ケースの一部の振動が音波として直接人の骨(頭蓋骨等)に伝達できる。よって、騒がしい場所でも音波を確実に伝達できる。
【００１２】
また、一実施形態の音波伝達装置では、上記振動部は、
上記ケースに固定された磁石と、
上記受信部からの電気信号が入力されることで上記磁石に対して振動するボイスコイルと、
上記ケース内で上記磁石とボイスコイルとを防水シールするシール部材とを有する。
【００１３】
この実施形態の音波伝達装置によれば、振動部を構成する磁石とボイスコイルとをシール部材で防水シールしているので、ケース内に水が入った場合にも磁石とボイスコイルへの浸水を防ぐことができる。
【発明の効果】
【００１４】
この発明の音波伝達装置によれば、受信部とこの受信部からの電気信号に応じて振動する振動部とこの振動部の振動をケースの一部に伝達する振動伝達部とを上記ケース内に液密に収容すると共に、上記ケースの一部を振動板としているので、防水性と小型化を達成できて、水中や水上にいる人に装着可能となる。よって、この発明によれば、無線通信によって受信した信号を音波に換えて水中や水上にいる使用者にも確実に伝達できる。
【図面の簡単な説明】
【００１５】
【図１】この発明の音波伝達装置の第１実施形態としての防水型スピーカ装置を示す断面図である。
【図２】この発明の音波伝達装置の第２実施形態としての防水型スピーカ装置の要部を示す断面図である。
【図３】この発明の音波伝達装置の第３実施形態としての防水型スピーカ装置の要部を示す断面図である。
【図４】この発明の音波伝達装置の第４実施形態としての防水型スピーカ装置の要部を示す断面図である。
【発明を実施するための形態】
【００１６】
以下、この発明を図示の実施の形態により詳細に説明する。
【００１７】
(第１の実施の形態)
図１に、この発明の音波伝達装置の第１実施形態としての防水型スピーカ装置の断面を示す。このスピーカ装置は、外装ケース１と、この外装ケース１の第１の室２内に配置されたプリント回路基板３およびこのプリント回路基板３に接続されたループ式アンテナ４を備える。このプリント回路基板３とループ式アンテナ４が受信部を構成している。
【００１８】
上記プリント回路基板３は、上記外装ケース１の第１の室２と第２の室５とを隔てる中間壁６に取り付けられている。また、上記ループ式アンテナ４は、上記第１の室２の内壁に沿って延在している。上記プリント回路基板３は、上記アンテナ４からの無線信号を受信する受信器３Ａ、この受信器３Ａからの受信信号をデコードする信号混合器３Ｂ、この信号混合器３Ｂからの信号を増幅するパワーアンプ３Ｃ、および充電回路３Ｄを有している。
【００１９】
この充電回路３Ｄは、上記第２の室５に収容されている電池ボックス８に接続線２２で電気的に接続されていると共に防水型の外部コネクタ１０に接続線２３で電気的に接続されている。この外部コネクタ１０,充電回路３Ｄ,電池ボックス８を介して電池ボックス８内に収容されている充電式電池９を充電可能になっている。また、この充電式電池９は、接続線２２からプリント回路基板３に電力を供給する。なお、この外部コネクタ１０から接続線２３を経由して上記プリント回路基板３に制御信号,音声信号等のデータ信号を送ることもできる。
【００２０】
また、上記外装ケース１には、導電体からなる水検知端子２８,２９が取り付けられており、この水検知端子２８,２９は接続線３０,３１でプリント回路基板３に電気的に接続されている。
【００２１】
一方、上記外装ケース１の第２の室５内には内壁部材１１が配置され、この内壁部材１１は中間壁６に固定されている。この内壁部材１１内にヨーク１２と信号駆動コイル１３が配置されている。上記ヨーク１２は、上記中間壁６にねじ１９で固定されている。また、上記内壁部材１１にバネ性のある板状部材１５,１６の一端が固定され、このバネ性のある板状部材１５,１６の他端が振動部材１４に固定されている。この板状部材１５,１６はジンバル構造をなす。
【００２２】
上記板状部材１５,１６は、振動部材１４が矢印Ｘで示される左右方向に振動し易いように内壁部材１１に振動部材１４を取り付ける役割を果たしている。また、上記振動部材１４には、磁石１７が固定されており、この磁石１７は、上記信号駆動コイル１３が発生する磁界に応じて、振動部材１４と共に矢印Ｘで示される左右方向に振動されるようになっている。また、上記振動部材１４の材質は、ステンレス、硬質樹脂、硬質木材、鉄鋼材等のうちから選択できる。なお、図１において、磁石１７は、矢印Ｘで示される左右方向の右端がＳ極端、左端がＮ極端になっている。
【００２３】
上記信号駆動コイル１３は、信号線１８でパワーアンプ３Ｃに接続されており、このパワーアンプ３Ｃからの増幅信号で駆動される。上記バネ性のある板状部材１５,１６とヨーク１２と信号駆動コイル１３と磁石１７および振動部材１４が振動部を構成している。
【００２４】
また、上記振動部材１４の一端１４Ａには弾性部材からなる結合部２０の一端が接続されており、この結合部２０の他端は駆動伝達部２１に接続されている。この結合部２０は、振動部材１４と駆動伝達部２１との間のダンパー,サスペンションの役割を果たすもので、柔軟性を備えており、例えばゴム等で作製される。また、上記駆動伝達部２１の材質は、ステンレス、硬質樹脂、硬質木材、鉄鋼材等のうちから選択できる。この駆動伝達部２１は、上記外装ケース１の一部で構成されている振動板２６にねじ２５で固定されている。上記結合部２０と駆動伝達部２１が振動伝達部を構成している。
【００２５】
上記外装ケース１は、プラスチック系樹脂やステンレス,アルミ,鉄鋼材,高分子材,ＦＲＰ(繊維強化プラスチック)樹脂等のうちから選択され、接着もしくは一体成形できると共に高い音響インピーダンスを有する材料で作製されている。また、内壁部材１１,振動部材１４も外装ケース１と同様の材料で作製されている。
【００２６】
また、この外装ケース１は、図１の紙面の奥側の一端が端部１Ａとなって閉じている一方、上記外装ケース１の他端は開口している。この他端の開口には、ケース裏蓋(図示せず)が装着され、このケース裏蓋と外装ケース１とで第１,第２の室２,５が密封されている。なお、上記ケース裏蓋は、一例として弾性部材などで作製され、薄いウレタンゴム,シリコーンゴム,ポリプロピレン,ポリエチレンのようなプラスチック系樹脂やステンレス,アルミニウム，鉄鋼材，高分子材料,セメント等のうちから選択され、接着もしくは一体成形できる材料で作製されている。
【００２７】
上記構成の防水型スピーカ装置では、例えば、水検知端子２８と２９とが水(塩水を含む)等に浸かって水検知端子２８と２９が導電すると、プリント回路基板３の受信器３Ａ,信号混合器３Ｂ,パワーアンプ３Ｃ等が動作する。すると、受信器３Ａはアンテナ４からの無線信号を受信して信号混合器３Ｂに受信信号を送り、信号混合器３Ｂは上記受信信号をデコードし、このデコードされた信号はパワーアンプ３Ｃで増幅され、信号線１８を通って信号駆動コイル１３に入力される。なお、一般的に電波は水中に到達しにくいが、水深１ｍ程度まではアンテナ４に受信器３Ａの共振回路を組み合わせて受信感度を上げることにより受信動作が不安定になるのを防ぐことができる。
【００２８】
上記信号駆動コイル１３は、入力された信号に応じた磁界を発生させ、ヨーク１２を介して磁石１７に磁界が作用して、磁石１７が矢印Ｘで示される左右方向に振動する。この磁石１７と共に振動部材１４が振動し、振動部材１４の振動と共にバネ性のある板状部材１５,１６が撓まされる。また、上記振動部材１４の振動は、弾性部材からなる結合部２０を介して、硬質材料で作製されている駆動伝達部２１に伝達され、この駆動伝達部２１の振動は外装ケース１の一部である振動板２６に伝達される。
【００２９】
この外装ケース１の一部が振動板２６として振動することで、音響帯域の中高域に対して共振作用を利用して音質的にも違和感なく忠実に音を再現できると共に上記振動板２６の振動による音波をこの防水型スピーカ装置を装着した水中や水上にいる使用者の頭蓋骨に骨伝導により伝達できる。また、上記振動部材１４の振動に伴い、バネ性のある板状部材１５,１６を介して内壁部材１１と音響帯域の低中域周波数に対して空洞共振(空洞共鳴)を起こす。これにより、外装ケース１そのものが振動する。これにより、振動部材１４の振動による音波振動が低域から高域まで平均した音響振動として振動板２６から骨伝導として使用者の頭蓋骨に伝えることができる。よって、この実施形態の防水型スピーカ装置によれば、無線通信によって受信した信号を音波に換えて水中や水上にいる使用者にも確実に違和感の無い音として伝達できる。
【００３０】
よって、この実施形態の防水型スピーカ装置を、例えば、水泳などの訓練を受ける人の頭に取り付けることにより、プールサイドから送信機で指示音声を伝える無線信号を送信することで、訓練を受ける人に直接に訓練の指示を伝えることができ、訓練の効率が非常によくなる。また、音声信号だけでなく音声信号とトーン信号の混合信号もしくはトーン信号による単一信号を無線信号で送信してもよい。また、受信器３Ａが無線信号を受けたときに、この受信器３Ａに予め設定されている音声(アナウンス)を信号混合器３Ｂでデコードするようにすることで、明確な音声指示が可能になる。また、上記無線信号を、危険を知らせる危険信号,時刻を知らせるタイム信号としてもよく、受信器３Ａが音声合成を可能にするＣＰＵを内蔵してもよい。
【００３１】
また、上記外装ケース１の材質を、ステンレスや硬質プラスチックにすることにより耐水性,耐熱性,耐寒性が得られて全天候型のスピーカとして利用可能である。また、この実施形態によれば、プリント回路基板３,ループ式アンテナ４で構成された受信部と、バネ性のある板状部材１５,１６,ヨーク１２,信号駆動コイル１３,磁石１７,振動部材１４で構成されている振動部と、結合部２０と駆動伝達部２１とで構成されている振動伝達部とを外装ケース１内に一体的に組み込んでいるので、防水性と小型化を達成できる。また、本発明は、骨伝導スピーカだけに限らず、一般のスピーカにも適用できる。
【００３２】
(第２の実施の形態)
次に、この発明の音波伝達装置の第２実施形態としての防水型スピーカ装置を説明する。この第２実施形態は、図２に示すように、第２の室５内の構成だけが、前述の第１実施形態と異なる。すなわち、この第２実施形態は、図１の内壁部材１１に替えて内側部材４１を有し、さらに内側ケース４４を有する。また、この第２実施形態では、図１のバネ性のある板状部材１５,１６に替えてバネ性のある板状部材４２,４３を有する点と、図１の磁石１７,振動部材１４に替えて、磁石４５,振動部材４６を有する点、および、図１の結合部２０,駆動伝達部２１に替えて、振動伝達部４７を有する点が、前述の第１実施形態と異なる。よって、この第２実施形態では、前述の第１実施形態と異なる点を主に説明する。
【００３３】
この第２実施形態では、上記内側ケース４４が外装ケース１に固定され、この内側ケース４４内に内側部材４１がねじ４８で固定されている。このねじ４８は、さらに、ヨーク１２を内側部材４１に締結している。ヨーク１２には信号駆動コイル１３が嵌め込まれている。上記内側部材４１の両端には、バネ性のある板状部材４２,４３の一端が固定され、このバネ性のある板状部材４２,４３の他端は振動部材４６の両端に固定されている。このバネ性のある板状部材４２,４３はジンバル構造をなす。上記バネ性のある板状部材４２,４３は振動部材４６が矢印Ｙで示される前後方向に振動し易いように内側部材４１に振動部材４６を取り付ける役割を果たしている。この矢印Ｙで示される前後方向は、図１の矢印Ｘで示される左右方向に直交する方向である。なお、図２において、磁石４５は、矢印Ｙで示される前後方向のヨーク１２側がＮ極、振動部材４６側がＳ極になっている。
【００３４】
また、上記振動部材４６には、磁石４５が固定されており、この磁石４５は、上記信号駆動コイル１３が発生する磁界に応じて、振動部材４６と共に矢印Ｙで示される前後方向に揺動されるようになっている。
【００３５】
また、上記振動部材４６と外装ケース１の一部からなる振動板５０との間に振動伝達部４７が配置されており、この振動伝達部４７は、振動板５０にねじ５１で固定されて振動板５０および振動部材４６の略中央部に接触している。
【００３６】
尚、この第２実施形態の受信部は、前述の第１実施形態と同様、プリント回路基板３とループ式アンテナ４で構成している。
【００３７】
この第２実施形態では、信号駆動コイル１３は、パワーアンプ３Ｃで増幅された信号に応じた磁界を発生させて磁石４５に磁界が作用し、磁石４５と磁石４５に固定された振動部材４６が矢印Ｙで示される前後方向に振動する。また、この振動部材４６の振動と共にバネ性のある板状部材４２,４３が前後方向に撓む。この振動部材４６の振動は、上記振動伝達部４７に伝達され、この振動伝達部４７の振動は外装ケース１の一部である振動板５０に伝達される。
【００３８】
よって、この第２実施形態によれば、前述の第１実施形態と同様に、振動板５０の振動による音波をこの防水型スピーカ装置を装着した水中や水上にいる使用者の頭蓋骨に骨伝導により伝達できる。また、上記振動部材４６の前後方向の振動に伴い、バネ性のある板状部材４２,４３を介して内側部材４１,内側ケース４４と音響帯域の低中域周波数に対して空洞共振(空洞共鳴)を起こす。これにより、外装ケース１そのものが振動する。よって、振動部材４６の振動による音波振動が低域から高域まで平均した音響振動として振動板５０から骨伝導として使用者の頭蓋骨に伝えることができる。
【００３９】
また、この第２実施形態では、内側ケース４４内にヨーク１２,磁石４５,信号駆動コイル１３,振動部材４６,振動伝達部４７を収容しているので、振動部の防水性を向上できる。
【００４０】
尚、この第２実施形態の振動部材４６,振動伝達部４７の材質は、前述の第１実施形態の振動部材１４,駆動伝達部２１の材質と同様である。
【００４１】
(第３の実施の形態)
次に、この発明の音波伝達装置の第３実施形態としての防水型スピーカ装置を説明する。この第３実施形態は、図３に示すように、第２の室５内の構成だけが、前述の第１実施形態と異なる。すなわち、この第３実施形態は、図１の内壁部材１１に替えて内側部材５１を有し、この内側部材５１にヨーク１２がねじ５２で固定されている。また、この内側部材５１は、端部５１Ａがねじ５３で外装ケース１に固定されている。また、この内側部材５１の矢印Ｚで示される上下方向の両端部５１Ｂ,５１Ｃにはバネ性のある板状部材５５,５６の一端が固定され、このバネ性のある板状部材５５の他端は振動部材５７の一端５７Ａに固定され、バネ性のある板状部材５６の他端は振動部材５７の他端付近に固定されている。この板状部材５５,５６がジンバル構造をなす。
【００４２】
また、この振動部材５７の他端５７Ｂは、弾性部材からなる結合部５８で外装ケース１の一部からなる振動板６０に接続している。上記結合部５８が振動伝達部を構成している。なお、上記矢印Ｚで示される上下方向は、図２の矢印Ｙで示される方向と同じ方向である。そして、上記ヨーク１２には信号駆動コイル１３が嵌め込まれ、上記振動部材５７には、上記ヨーク１２に対向するように磁石１７が固定されている。なお、図３において、磁石１７は、矢印Ｚで示される上下方向の上側がＮ極、下側がＳ極になっている。
【００４３】
尚、この第３実施形態の受信部は、前述の第１実施形態と同様、プリント回路基板３とループ式アンテナ４で構成している。
【００４４】
この第３実施形態では、信号駆動コイル１３は、パワーアンプ３Ｃで増幅された信号に応じた磁界を発生させて磁石１７に磁界が作用し、磁石１７と磁石１７に固定された振動部材５７が矢印Ｚで示される上下方向に振動する。この振動部材５７の振動と共にバネ性のある板状部材５５,５６が上下方向に撓む。この振動部材５７の振動は、上記結合部５８に伝達され、この結合部５８の振動は外装ケース１の一部である振動板６０に伝達される。
【００４５】
よって、この第３実施形態によれば、前述の第１実施形態と同様に、振動板６０の振動による音波をこの防水型スピーカ装置を装着した水中や水上にいる使用者の頭蓋骨に骨伝導により伝達できる。また、上記振動部材５７の上下方向の振動に伴い、バネ性のある板状部材５５,５６を介して内側部材５１と音響帯域の低中域周波数に対して空洞共振(空洞共鳴)を起こす。これにより、外装ケース１そのものが振動する。よって、振動部材５７の振動による音波振動が低域から高域まで平均した音響振動として振動板６０から骨伝導として使用者の頭蓋骨に伝えることができる。
【００４６】
尚、この第３実施形態の結合部５８の材質は、前述の第１実施形態の結合部２０の材質と同様である。
【００４７】
(第４の実施の形態)
次に、この発明の音波伝達装置の第４実施形態としての防水型スピーカ装置を説明する。この第４実施形態は、図４に示すように、第２の室５内の構成だけが、前述の第１実施形態と異なる。すなわち、この第４実施形態は、図１の内壁部材１１に替えて内側ケース７１を有する。この内側ケース７１は、バネ性のある板状部材７２,７３の一端を挟んで、ねじ７４,７５で外装ケース１に締結されている。この板状部材７２,７３はジンバル構造をなす。
【００４８】
また、上記内側ケース７１内には、ヨーク７６が配置され、このヨーク７６は内側ケース７１にねじ７９で締結されている。また、ヨーク７６内には磁石７７が配置され、この磁石７７の外側にボイスコイル７８が配置されている。このボイスコイル７８は、上記パワーアンプ３Ｃに電気配線(図示せず)で接続されていると共に磁石７７の外側に磁石７７に対して矢印Ｙで示される前後方向にスライド自在に配置されている円筒部材８０に巻かれている。なお、図４において、磁石７７は、矢印Ｙで示される方向のヨーク７６側がＳ極、振動部材８２側がＮ極になっている。
【００４９】
そして、弾性部材からなる防水パッキング８１が磁石７７,ボイスコイル７８,円筒部材８０を覆うように上記ヨーク７６の開口部に取付けられ、ヨーク７６内に磁石７７,ボイスコイル７８,円筒部材８０を密封している。また、上記防水パッキング８１には振動部材８２が固定され、この振動部材８２の両端部にバネ性のある板状部材７２,７３の他端がねじ８７,８８で固定されている。この振動部材８２は、外装ケース１の一部からなる振動板８５にねじ８３で固定されている。この振動板８５は、この振動板８５に連なる外装ケース１の他の部分に比べて肉厚が薄くなっている。
【００５０】
尚、この第４実施形態の受信部は、前述の第１実施形態と同様、プリント回路基板３とループ式アンテナ４で構成している。
【００５１】
この第４実施形態では、ボイスコイル７８に、パワーアンプ３Ｃで増幅された信号に応じた電流が流れ、磁石７７による磁界との相互作用で、ボイスコイル７８は、矢印Ｙで示される前後方向に振動する。この振動により、防水パッキング８１,振動部材８２が上記前後方向に振動し、この振動部材８２の振動と共にバネ性のある板状部材７２,７３が前後方向に撓む。また、この振動部材８２の振動は、外装ケース１の一部からなる薄肉の振動板８５に伝達される。
【００５２】
よって、この第４実施形態によれば、前述の第１実施形態と同様に、振動板８５の振動による音波をこの防水型スピーカ装置を装着した水中や水上にいる使用者の頭蓋骨に骨伝導により伝達できる。また、上記振動部材８２の上下方向の振動に伴い、バネ性のある板状部材７２,７３を介して内側ケース７１と音響帯域の低中域周波数に対して空洞共振(空洞共鳴)を起こす。これにより、内側ケース７１そのものが振動する。よって、振動部材８２の振動による音波振動が低域から高域まで平均した音響振動として振動板８５から骨伝導として使用者の頭蓋骨に伝えることができる。
【００５３】
また、この第４実施形態によれば、外装ケース１の第２の室５内に水が浸入しても、内側ケース７１内に水が浸入することが防がれる上に、防水パッキング８１が磁石７７,ボイスコイル７８,円筒部材８０をヨーク７６内に密封している。したがって、磁石７７,ボイスコイル７８への浸水をほぼ完全に防止でき、錆等の発生を防止でき、水圧がかかる場所でも利用可能になる。なお、大出力の場合には、ボイスコイル７８に熱が多く発生するので、振動部材８２の片面８２Ａのほぼ全面を振動板８５に接触させて、放熱性の向上を図っている。
【００５４】
尚、上記第１〜第４実施形態では、骨伝導を行う防水型スピーカ装置について説明したが、本発明は、骨伝導スピーカだけに限らず、一般の空気伝導スピーカにも適用できる。
【符号の説明】
【００５５】
１  外装ケース
２  第１の室
３  プリント回路基板
３Ａ  受信器
３Ｂ  信号混合器
３Ｃ  パワーアンプ
３Ｄ  充電回路
４  ループ式アンテナ
５  第２の室
６  中間壁
８  電池ボックス
９  充電式電池
１０  外部コネクタ
１１  内壁部材
１２,７６  ヨーク
１３  信号駆動コイル
１４,４６,５７,８２  振動部材
１５,１６,４２,４３,５５,５６,７２,７３  バネ性のある板状部材
１７,４５,７７  磁石
１８  信号線
２０,５８  結合部
２１  駆動伝達部
２６,５０,６０,８５  振動板
２８,２９  水検知端子
４１,５１  内側部材
４４,７１  内側ケース
４７  振動伝達部
７８  ボイスコイル
８０  円筒部材
８１  防水パッキング
【図１】
2010287999.tif 000003
【図２】
2010287999.tif 000004
【図３】
2010287999.tif 000005
【図４】
2010287999.tif 000006